(57)【特許請求の範囲】
【請求項１】
上枠と、
前記上枠に吊り下げた引き戸体であって、該引き戸体の下端部にエッジ材を備える引き戸体と、
前記引き戸体と係合して該引き戸体の開閉を案内する一つのガイドローラーを備える下枠と、を有し、
前記エッジ材は、前記引き戸体の表面よりも見込み方向において外側に突出した突出部を有し、
前記下枠には、開閉する前記引き戸体を摺動させる摺動部材が設けられており、
前記突出部が、見込み方向において該突出部と対向する前記摺動部材に接触して摺動することを特徴とする建具。
【請求項２】
請求項１に記載の建具であって、
前記下枠には、該下枠から前記表面に向かって見込み方向に延出するタイト材が設けられていることを特徴とする建具。
【請求項３】
請求項２に記載の建具であって、
前記タイト材は、前記摺動部材の上側に位置し、該摺動部材を上方から覆っていることを特徴とする建具。
【請求項４】
請求項１乃至請求項３のいずれかに記載の建具であって、
前記エッジ材は、引き戸体本体に対し、上下方向に移動可能に設けられていることを特徴とする建具。
【請求項５】
請求項４に記載の建具であって、
前記エッジ材は、前記引き戸体本体に対し、着脱可能に設けられており、
前記摺動部材は、前記下枠に対し、着脱可能に設けられていることを特徴とする建具。
【発明の詳細な説明】
【技術分野】
【０００１】
本発明は、建具に関する。
【背景技術】
【０００２】
上枠と上枠に吊り下げた引き戸体とを有する所謂上吊り式の建具は、既によく知られている。そして、当該建具の中には、引き戸体と係合して該引き戸体の開閉を案内する一つのガイドローラーを下枠に備えているものがある。
【先行技術文献】
【特許文献】
【０００３】
【特許文献１】特開２０１５−８６５２５号公報
【発明の概要】
【発明が解決しようとする課題】
【０００４】
このような従来の上吊り式の建具においては、ガイドローラーが一つしかないため、引き戸体が開閉する際に、引き戸体の下方においてガタつきが生ずる場合があった。
【０００５】
本発明は、かかる課題に鑑みてなされたものであり、その目的とするところは、引き戸体が開閉する際のガタつきを抑制することにある。
【課題を解決するための手段】
【０００６】
かかる目的を達成するために本発明の建具は、上枠と、
前記上枠に吊り下げた引き戸体であって、該引き戸体の下端部にエッジ材を備える引き戸体と、
前記引き戸体と係合して該引き戸体の開閉を案内する一つのガイドローラーを備える下枠と、を有し、
前記エッジ材は、前記引き戸体の表面よりも見込み方向において外側に突出した突出部を有し、
前記下枠には、開閉する前記引き戸体を摺動させる摺動部材が設けられており、
前記突出部が、見込み方向において該突出部と対向する前記摺動部材に接触して摺動することを特徴とする建具である。
【０００７】
このような建具によれば、引き戸体が開閉する際のガタつきを抑制することが可能となる。また、引き戸体の表面の塗装が剥がれたり、引き戸体の表面に傷が付いたりする問題を防止することも可能となる。
【０００８】
かかる建具であって、
前記下枠には、該下枠から前記表面に向かって見込み方向に延出するタイト材が設けられていることが望ましい。
【０００９】
このような建具によれば、操作者が引き戸体を下枠の室内側に押し付けながら操作することが回避され、タイト材が破損することを防止することが可能となる。
【００１０】
かかる建具であって、
前記タイト材は、前記摺動部材の上側に位置し、該摺動部材を上方から覆っていることが望ましい。
【００１１】
このような建具によれば、建具の意匠性を向上させることができる。
【００１２】
かかる建具であって、
前記エッジ材は、引き戸体本体に対し、上下方向に移動可能に設けられていることが望ましい。
【００１３】
このような建具によれば、エッジ材の突出部を摺動部材に適切に接触させることが可能となる。
【００１４】
かかる建具であって、
前記エッジ材は、前記引き戸体本体に対し、着脱可能に設けられており、
前記摺動部材は、前記下枠に対し、着脱可能に設けられていることが望ましい。
【００１５】
このような建具によれば、建具のメンテナンス性を向上させることが可能となる。
【発明の効果】
【００１６】
本発明によれば、引き戸体が開閉する際のガタつきを抑制することが可能となる。
【図面の簡単な説明】
【００１７】
【図１】玄関引戸１０の縦断面図である。
【図２】図１の要部拡大図である。
【図３】下エッジ材４３の取り付け構造を説明するための説明図である。
【図４】扉本体４０ｂの貫通穴を示した図である。
【発明を実施するための形態】
【００１８】
＝＝＝本実施の形態に係る建具（玄関引戸１０）について＝＝＝
本実施の形態に係る建具の一例としての玄関引戸１０について、図１を用いて説明する。
【００１９】
なお、以下の説明においては、建物等に取り付けられた状態の玄関引戸１０を室外側から見たときに、上下となる方向を上下方向、左右となる方向を左右方向、室内外方向である奥行き方向を見込み方向として示す。玄関引戸１０の各部位であっても、また、玄関引戸１０を構成する各部材については単体の状態であっても、建物等に取り付けられた状態にて上下方向、左右方向、見込み方向となる方向にて方向を特定して説明する。
【００２０】
玄関引戸１０は、上枠２０と下枠３０とを備える枠体と、引き戸体の一例としての片引き扉（以下、単に、扉４０と呼ぶ）と、吊り部材（レール２２及び戸車５０）と、を有している。
【００２１】
本実施の形態における玄関引戸１０は、所謂上吊り式の引戸となっている。つまり、扉４０は、上枠２０に吊り部材によって吊り下げた状態となっている。
【００２２】
すなわち、上枠２０には、レール２２が取り付けられている。このレール２２は、見込み方向において上枠２０から室外側へ延出するように設けられており、レール本体２２ａが、このレール２２の見込み方向における室外側端部に位置している。レール本体２２ａは、左右方向（つまり、扉４０の開閉（スライド）方向）に連続して設けられている。
【００２３】
一方、扉４０の上部には、戸車５０が設けられており（固定されており）、当該戸車５０のローラー５０ａがレール本体２２ａの上に載置されている。そして、扉４０が開閉する際（操作者が扉４０を開いたり閉じたりする際）には、ローラー５０ａが転がりながらレール本体２２ａ上を移動し、扉４０の開閉が円滑に行われるようになっている。なお、本実施の形態に係る戸車５０は、扉４０の左右方向（開閉（スライド）方向）における両端部に一つずつ（計２個）設けられている。
【００２４】
そして、扉４０が開いた際には（操作者が扉４０をスライドさせて開けた際には）、開口が現れ、玄関引戸１０を操作者が通過できるようになる。一方、扉４０が閉じた際には（操作者が扉４０をスライドさせて閉めた際には）、当該開口が扉４０により閉塞される。また、この際に、扉４０が位置していた箇所には、壁やガラス等が露出することとなる。つまり、操作者が、扉４０及び壁やガラス等と正対し、通過不能となる。
【００２５】
＜＜＜扉４０の下部及びその周辺の構成について＞＞＞
次に、扉４０の下部及びその周辺の構成について、主として、図２を参照しつつ説明する。扉４０の下方には、下枠３０が設けられているが、当該下枠３０には、レールが設けられておらず、その代わりにガイドローラー３４が備えられている。
【００２６】
つまり、ガイドローラー３４は、レールと同様の役割、すなわち、扉４０と係合して扉４０の開閉を案内する役割を果たす。ガイドローラー３４は、見込み方向において扉４０に対応する位置に位置した状態で、下枠３０に立設されている（固定されている）。そして、扉４０の下端部に設けられた凹部４０ａに収容されている。
【００２７】
凹部４０ａは、左右方向（開閉（スライド）方向）に連続して設けられている。一方で、ガイドローラー３４は、左右方向（開閉（スライド）方向）において、一つのみ（換言すれば、一つの玄関引戸１０に対して一つのみ）設けられている。そして、扉４０が開閉する際（操作者が扉４０を開いたり閉じたりする際）には、移動する扉４０（凹部４０ａ）がガイドローラー３４に接触しつつガイドローラー３４に案内されることとなる。なお、ガイドローラー３４は、上下方向に沿った中心軸回りに回転する回転部３４ａを備えており、移動する扉４０（凹部４０ａ）がガイドローラー３４に接触する際に、当該回転部３４ａが回転することで、扉が円滑に開閉するようになっている。
【００２８】
また、ガイドローラー３４は、扉４０の開閉状態がどのような状態であっても露出しない位置（人目に触れない位置）に設けられている。つまり、ガイドローラー３４の左右方向（開閉（スライド）方向）における位置については、扉４０が完全に開いた状態でもガイドローラー３４が露出しないように（また、露出したガイドローラー３４に通過者がつまずかないように）、当該状態において扉４０の左右方向における一端部（つまり、開口に近い側の端部。換言すれば、戸尻側でなく戸先側の端部）に位置するような位置となっている。
【００２９】
このように、本実施の形態に係る玄関引戸１０おいては、扉４０と係合して該扉４０の開閉を案内するガイドローラー３４が下枠３０に設けられているが、当該ガイドローラー３４が一つしかないため、扉４０が開閉する際に扉４０の下方（下端部）において見込み方向のガタつきが生ずる可能性がある。
【００３０】
そのため、本実施の形態においては、これに対する対策を行っている。つまり、当該ガタつきを抑制するために、下枠３０には開閉する扉４０を摺動させる樹脂製の摺動部材３６が設けられている。すなわち、扉４０が開閉する際に、扉４０の一部（後述する突出部４３ａ）が摺動部材３６に接触して摺動することで、当該ガタつきが押さえられるようになっている。
【００３１】
具体的な構成について説明する。先ず、扉４０の下端部の構成については、以下のようになっている。扉４０は、下端部に、表面材４１、骨材４２、及び、下エッジ材４３（エッジ材に相当。後述する横エッジ材４５との区別をするために、下エッジ材４３とする）を備えている。すなわち、図２に示すように、扉４０の表面に位置する一対の表面材４１（鋼板）の見込み方向における内側には、骨材４２が設けられ、そのさらに内側には、下エッジ材４３が備えられている。
【００３２】
この下エッジ材４３は、前述した凹部４０ａを形成し、当該凹部４０ａ内に位置するガイドローラー３４と協働して扉４０の開閉を案内する役割を果たす部材である。そして、当該下エッジ材４３の最下部（つまり、下枠３０に上下方向において対向する部分）は、表面材４１よりも室内側に延出している。つまり、下エッジ材４３は、扉４０の表面よりも見込み方向において外側（本実施の形態においては、室内側）に突出した突出部４３ａを有している。そして、この突出部４３ａが、当該突出部４３ａと見込み方向において対向する摺動部材３６と接触して摺動するようになっている。すなわち、摺動部材３６は、下枠３０のうちの、突出部４３ａと見込み方向において対向する対向部分３０ａに固定されており、突出部４３ａは、この対向部分３０ａに設けられた摺動部材３６と接触して摺動する。このように、下エッジ材４３は、ガイドローラー３４と協働して扉４０の開閉を案内しつつ、摺動部材３６と接触して摺動する機能を備えている（二つの機能を兼用している）。なお、図面では、便宜上、摺動部材３６は突出部４３ａと接触していないが、実際には、摺動部材３６は突出部４３ａと接触した状態で対向している。
【００３３】
より具体的に説明すると、下枠３０は、第一下枠部３１と第二下枠部３２とを備えている。第一下枠部３１は、扉４０よりも下側に位置し前述したガイドローラー３４を支持している部分である。そして、当該第一下枠部３１は、室内側へ向かって扉４０の表面（表面材４１）を越えて延出している。また、この室内側に延出した延出部分の上に第二下枠部３２が載置されており、当該第二下枠部３２は、扉４０よりも室内側に位置している。そして、第二下枠部３２の室外側の端（以下、便宜上、室外側端と呼ぶ）は、扉４０と見込み方向において対向しており、この室外側端に前述した対向部分３０ａが位置している。そのため、対向部分３０ａに固定された摺動部材３６は、見込み方向において突出部４３ａと対向するようになっている。
【００３４】
なお、本実施の形態において、突出部４３ａ（下エッジ材４３）は、左右方向（開閉（スライド）方向）に連続して設けられているのに対し、摺動部材３６は、左右方向（開閉（スライド）方向）において、二つだけ設けられている。本実施の形態においては、扉４０が完全に開いた状態の玄関引戸１０における前記開口の、左右方向における中央部及び戸先側端部に相当する位置に、摺動部材３６が設けられている（ただし、これに限定されるものではない）。
【００３５】
また、本実施の形態に係る摺動部材３６は、下枠３０に対し、着脱可能に設けられている。つまり、下枠３０には、摺動部材３６を圧入させるための圧入部３０ｂ（切り込み）が設けられている。そして、当該圧入部３０ｂに摺動部材３６が圧入されている。そのため、操作者が、摺動部材３６を当該圧入部３０ｂから取り外したり、当該圧入部３０ｂに取り付けたりすることを、簡便に行えるようになっている。
【００３６】
また、下枠３０には、タイト材３８が設けられている。このタイト材３８は、水密性及び気密性を保持するための樹脂製の部材である。
【００３７】
タイト材３８は、下枠３０（第二下枠部３２）の前述した室外側端に取り付けられており、当該室外側端から扉４０の表面（表面材４１）に向かって見込み方向（室内側から室外側へ向かう方向）に延出している。そして、タイト材３８の先端は、扉４０の表面（表面材４１）と接触している。このように、タイト材３８は、下枠３０（第二下枠部３２）と扉４０の表面（表面材４１）の間に位置して、当該間を通過しようとする水をブロックする役割を果たす。
【００３８】
なお、タイト材３８は、左右方向（開閉（スライド）方向）に連続して設けられている。そして、タイト材３８は、摺動部材３６の上側に位置し、当該摺動部材３６を上方から覆っている。
【００３９】
＜＜＜下エッジ材４３の取り付け構造について＞＞＞
次に、下エッジ材４３の取り付け構造について、主として、図３及び図４を参照しつつ説明する。なお、図４の左図（右図）は、図３の扉４０を矢印Ａ１（矢印Ａ２）方向から見たときの図である。
【００４０】
本実施の形態に係る下エッジ材４３は、二本の締結部材（具体的には、取り付けネジ６０）のみによって扉本体４０ｂ（本実施の形態においては、骨材４４及び横エッジ材４５）に対し取り付けられている。
【００４１】
すなわち、下エッジ材４３には、当該下エッジ材４３の左右方向（開閉（スライド）方向）の一端から他端に亘ってネジ穴４３ｂ（ビスホール、図２参照）が設けられている。また、前記一端側（換言すれば、左側）に位置する扉本体４０ｂと前記他端側（換言すれば、右側）に位置する扉本体４０ｂにはネジ穴４３ｂに対応する位置にそれぞれ貫通穴が設けられている。そして、当該一端側（左側）と当該他端側（右側）において、下エッジ材４３のネジ穴４３ｂと扉本体４０ｂの貫通穴に取り付けネジ６０が挿入されることで、下エッジ材４３が扉本体４０ｂに取り付けられている。
【００４２】
具体的には、下エッジ材４３の左右方向（開閉（スライド）方向）における外側には、骨材４４（戸尻側骨材４４ａ及び戸先側骨材４４ｂ）が設けられ、そのさらに外側には、横エッジ材４５（戸尻側横エッジ材４５ａ及び戸先側横エッジ材４５ｂ）が備えられている。
【００４３】
そして、骨材４４には、ネジ穴４３ｂに対応する位置に貫通穴（便宜上、骨材貫通穴４４ｃとする）が設けられ、横エッジ材４５には、ネジ穴４３ｂに対応する位置に貫通穴（便宜上、横エッジ材貫通穴４５ｃとする）が設けられている。
【００４４】
そして、戸尻側（左側）においては、取り付けネジ６０が、戸尻側横エッジ材４５ａの外側から、戸尻側横エッジ材４５ａの横エッジ材貫通穴４５ｃ及び戸尻側骨材４４ａの骨材貫通穴４４ｃを貫通し、ネジ穴４３ｂに入り込んでいる。また、戸先側（右側）においては、取り付けネジ６０が、戸先側横エッジ材４５ｂの外側から、戸先側横エッジ材４５ｂの横エッジ材貫通穴４５ｃ及び戸先側骨材４４ｂの骨材貫通穴４４ｃを貫通し、ネジ穴４３ｂに入り込んでいる。
【００４５】
また、本実施の形態に係る下エッジ材４３は、扉本体４０ｂに対し、上下方向に移動可能に設けられている。すなわち、扉本体４０ｂの前述した貫通穴（骨材貫通穴４４ｃ及び横エッジ材貫通穴４５ｃ）はいずれも上下方向に長い長穴となっているため（図４参照）、下エッジ材４３を上下方向に動かせるようになっている。したがって、下エッジ材４３の扉本体４０ｂに対する相対位置を上下方向に微調整することが可能となっている。なお、当然のことながら、戸尻側（左側）と戸先側（右側）とで調整を個別に行うことができるので、下エッジ材４３を斜めに調整することもできる。
【００４６】
また、本実施の形態に係る下エッジ材４３は、上述した構成を備えていることで、扉本体４０ｂに対し、着脱可能に設けられている。つまり、下エッジ材４３を扉本体４０ｂから取り外す際には、扉４０を枠体から外し、かつ、扉４０から二つの取り付けネジ６０を外せば、扉本体４０ｂから下エッジ材４３を簡便に取り外すことができる。また、下エッジ材４３を扉本体４０ｂに取り付ける際には、これとは逆の手順を行えば、簡便に取り付けることができる。
【００４７】
＝＝＝本実施の形態に係る玄関引戸１０の有効性について＝＝＝
上述した通り、本実施の形態に係る玄関引戸１０（建具）は、上枠２０と、上枠２０に吊り下げた扉４０（引き戸体）であって、該扉４０の下端部に下エッジ材４３を備える扉４０と、扉４０と係合して該扉４０の開閉を案内する一つのガイドローラー３４を備える下枠３０と、を有し、下エッジ材４３は、扉４０の表面よりも見込み方向において外側に突出した突出部４３ａを有し、下枠３０には、開閉する扉４０を摺動させる摺動部材３６が設けられており、突出部４３ａが、見込み方向において該突出部４３ａと対向する前記摺動部材３６に接触して摺動することとした。そのため、扉４０が開閉する際のガタつきを抑制することが可能となる。
【００４８】
上枠と上枠に吊られた引き戸体とを有する所謂上吊り式の建具は、既によく知られており、当該建具の中には、引き戸体と係合して該引き戸体の開閉を案内する一つのガイドローラーを下枠に備えているものがあった。しかしながら、このような従来の建具においては、ガイドローラーが一つしかないため、引き戸体が開閉する際に、引き戸体の下方においてガタつきが生ずる場合があった。
【００４９】
これに対し、本実施の形態に係る玄関引戸１０においては、開閉する扉４０を摺動させる摺動部材３６を下枠３０に設けることとした。そのため、当該ガタつきを抑制することが可能となる。
【００５０】
さらに、このような玄関引戸１０によれば、扉４０の表面の塗装が剥がれたり、扉４０の表面に傷が付いたりする問題を防止することが可能となる。
【００５１】
仮に、扉４０の表面よりも下エッジ材４３が突出しておらず双方が面一であった場合には、下エッジ材４３が摺動部材３６に接触して摺動する際に、扉４０の表面（換言すれば、表面材４１）も摺動部材３６に接触してしまう。かかる場合には、扉４０の表面（表面材４１）の塗装が剥がれたり、扉４０の表面（表面材４１）に傷が付いたりする可能性がある。
【００５２】
これに対し、本実施の形態においては、扉４０の表面よりも見込み方向において外側に突出した突出部４３ａを摺動部材３６に接触させるようにしたため、扉４０の表面（表面材４１）の塗装が剥がれたり、扉４０の表面（表面材４１）に傷が付いたりする問題を防止することが可能となる。
【００５３】
また、本実施の形態に係る玄関引戸１０において、下枠３０には、開閉する扉４０を摺動させる摺動部材３６が設けられていることに加えて、該下枠３０から扉４０の表面（表面材４１）に向かって見込み方向に延出するタイト材３８が設けられていることとした。
【００５４】
そのため、摺動部材３６は、扉４０が開閉する際のガタつきを抑制することだけでなく、タイト材３８が破損することを防止する役割も果たす。すなわち、仮に、摺動部材３６が存在せず、扉４０にガタつきが生じている場合には、操作者が、扉４０を室内側に押し付けながら操作する可能性がある。そして、かかる際には、タイト材３８が扉４０により押圧され破損する虞がある。これに対し、本実施の形態においては、摺動部材３６が設けられていることにより、ガタつきが抑制されるため、操作者が扉４０を室内側に押し付けながら操作することが回避され、タイト材３８の破損が適切に防止されることとなる。
【００５５】
また、本実施の形態に係る玄関引戸１０において、タイト材３８は、摺動部材３６の上側に位置し、該摺動部材３６を上方から覆っていることとした。
【００５６】
そのため、摺動部材３６をタイト材３８により適切に隠すことが可能となるため、玄関引戸１０の意匠性を向上させることができる。
【００５７】
また、本実施の形態に係る玄関引戸１０において、下エッジ材４３は、扉本体４０ｂに対し、上下方向に移動可能に設けられていることとした。
【００５８】
そのため、施工誤差等によって下エッジ材４３の突出部４３ａが摺動部材３６に適切に接触しない場合に、下エッジ材４３の扉本体４０ｂに対する相対位置を調整することで、適切に接触させることが可能となる。
【００５９】
また、本実施の形態に係る玄関引戸１０において、下エッジ材４３は、扉本体４０ｂに対し、着脱可能に設けられており、摺動部材３６は、下枠３０に対し、着脱可能に設けられていることとした。
【００６０】
そのため、互いに摺動する下エッジ材４３及び摺動部材３６が消耗した際に容易に交換できるため、玄関引戸１０のメンテナンス性を向上させることが可能となる。
【００６１】
＝＝＝その他の実施形態＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００６２】
上記実施の形態においては、建具として、玄関引戸１０を例に挙げて説明したが、これに限定されるものではない。上枠と、上枠に吊り下げた引き戸体と、引き戸体と係合して該引き戸体の開閉を案内する一つのガイドローラーを備える下枠と、を有する建具であれば、どのようなものにも本発明を適用できる。例えば、扉が複数設けられた引戸や、扉が左右に動いて開閉する両引き戸があげられる。
【符号の説明】
【００６３】
１０  玄関引戸
２０  上枠、３０  下枠
３４  ガイドローラー
３６  摺動部材、３８  タイト材
４０  扉、４０ｂ  扉本体
４１  表面材
４３  下エッジ材、４３ａ  突出部
【図１】
0006585004.tif 000002
【図２】
0006585004.tif 000003
【図３】
0006585004.tif 000004
【図４】
0006585004.tif 000005